(57)【特許請求の範囲】
【請求項１】
単一波長ではなく、所定の波長範囲の、波長が連続したＸ線を被測定物に照射するＸ線照射手段と、前記被測定物を透過した透過Ｘ線を検出するためのエネルギー弁別可能なＸ線検出器と、該Ｘ線検出器による検出信号に基づき透過Ｘ線のエネルギーを弁別してＸ線強度データを求める信号処理回路と、を具備する透過Ｘ線測定装置を用い、含有元素及び／又は含有化合物の種類が既知である若しくは推定可能である被測定物の各元素及び／又は各化合物の、厚さ、又は含有量と密度、を測定する透過Ｘ線測定方法であって、
所定のエネルギーにおける、実測の透過Ｘ線強度比と、被測定物に含まれる全ての元素及び／又は化合物の質量吸収係数と、厚さ、又は重量比と密度で表した理論的透過Ｘ線強度比とから成る方程式を、被測定物に含まれる、厚さ又は含有率が未知な元素及び／又は化合物の総数と同数以上立てて連立方程式とし、
前記所定のエネルギーにおけるＸ線強度比を前記透過Ｘ線測定装置により実測し、
該実測により得られた値を前記連立方程式に代入して該連立方程式を解き、解として各元素及び／又は各化合物の、厚さ、又は重量比と全体の密度、を求めることを特徴とする透過Ｘ線測定方法。
【請求項２】
前記Ｘ線照射手段と前記Ｘ線検出器との組み合わせで測定可能なエネルギー範囲において被測定物に含まれる全ての元素及び／又は全ての化合物中の元素が吸収端を持つ場合、各元素の吸収端を挟んだ両側のエネルギーにおける透過Ｘ線の実測値の比を前記Ｘ線強度比とした連立方程式を用い、被測定物を透過して来た透過Ｘ線を前記Ｘ線検出器で検出し、それにより得られるＸ線強度データから前記実測強度比を算出してこれを前記各方程式に適用して、その連立方程式を解くことにより各元素及び／又は各化合物の厚さ、又は重量比と全体の密度、を求めることを特徴とする請求項１に記載の透過Ｘ線測定方法。
【請求項３】
被測定物に含まれる、厚さ又は含有率が未知な元素及び／又は化合物の総数と同数以上の所定のエネルギーにおいて被測定物を透過した透過Ｘ線の強度と同エネルギーにおいて被測定物を透過しない直接Ｘ線の強度との比を前記Ｘ線強度比とした連立方程式を用い、被測定物を透過して来た透過Ｘ線と透過しない直接Ｘ線をそれぞれ別に前記Ｘ線検出器で検出し、それにより得られるＸ線強度データから前記実測強度比を算出してこれを前記各方程式に適用して、その連立方程式を解くことにより各元素及び又は各化合物の厚さ、又は重量比と全体の密度、を求めることを特徴とする請求項１に記載の透過Ｘ線測定方法。
【請求項４】
前記Ｘ線照射手段と前記Ｘ線検出器との組み合わせで測定可能なエネルギー範囲において被測定物に含まれる全ての元素が吸収端を持たない場合に前記測定方法を適用することを特徴とする請求項３に記載の透過Ｘ線測定方法。
【請求項５】
前記Ｘ線照射手段と前記Ｘ線検出器との組み合わせで測定可能なエネルギー範囲において吸収端を持つ元素については、吸収端を挟んだ両側のエネルギーにおける透過Ｘ線の実測値の比を前記Ｘ線強度比とした方程式を用いる一方、該エネルギー範囲において吸収端を持たない元素については、所定のエネルギーにおいて被測定物を透過した透過Ｘ線の強度と同エネルギーにおいて被測定物を透過しない直接Ｘ線の強度との比を前記Ｘ線強度比とした方程式を用い、それらを併せた連立方程式を立ててこの解を求めることにより各元素及び／又は各化合物の厚さ、又は重量比と全体の密度、を求めることを特徴とする請求項１に記載の透過Ｘ線測定方法。
【請求項６】
前記Ｘ線照射手段は所定の波長範囲の発散Ｘ線又は平行束Ｘ線を被測定物に照射するものであり、前記Ｘ線検出器は前記被測定物を透過した透過Ｘ線を検出するためのエネルギー弁別可能な微小Ｘ線検出素子が二次元状に配置されたものであり、前記信号処理回路は、該Ｘ線検出器による検出信号に基づき各微小検出素子毎に透過Ｘ線のエネルギーを弁別してＸ線強度データを求めるものであって、被測定物の各元素及び／又は各化合物の厚さ、又は重量比と密度の二次元分布情報を測定することを特徴とする請求項１〜５のいずれかに記載の透過Ｘ線測定方法。
【発明の詳細な説明】
【技術分野】
【０００１】
本発明は、被測定物に含まれる複数の元素及び／又は化合物の含有量及び密度、又は厚さを測定するための透過Ｘ線測定方法に関する。
【背景技術】
【０００２】
透過Ｘ線を利用した非破壊検査装置や医療用撮影装置が従来より知られている。例えば特許文献１に記載の非破壊検査装置は、基材上又は基材の内部に設けたこの基材とは異なる材料から成る被測定物の厚みを測定する装置であり、被測定物に照射するＸ線をそのスペクトル全体におけるピークがその被測定物の元素の吸収端近傍の波長になるように設定し、その吸収端近傍波長における透過Ｘ線の強度に基づいて被測定物の厚みを算出するようにしている。より詳しく述べると、吸収端の高エネルギー（短波長）側近傍と該吸収端の低エネルギー（長波長）側近傍とにおける基材及び被測定物透過後のＸ線強度をそれぞれ測定し、それら強度値、吸収端の高エネルギー側近傍における被測定物の線吸収係数、及び吸収端の低エネルギー側近傍における被測定物の線吸収係数から被測定物の厚さを導出している。
【０００３】
上記従来の透過Ｘ線測定方法は基本的に被測定物が既知の１種類の成分（元素）から成ることを前提としている。そのため、例えば配管内や密閉容器内に付着した特定重金属の厚さの測定など特定の目的には有用であるが、被測定物が複数の元素や化合物の混合物であるような場合には適用できない。なお、上記特許文献１には被測定物が合金である場合に、その合金中の特定元素の含有率を求める方法も開示されているが、この方法では、或る特定元素の含有率しか求めることができず他の元素についての含有率は求まらない。また、該方法では物質の単位長さ当たりのＸ線の減衰割合を表す線吸収係数を用いた式を利用しているため、特定元素以外の元素の密度への影響が考慮されておらず、特定元素の含有率についてもその算出精度が低いものとなってしまう。
【０００４】
ところで、透過Ｘ線測定装置において試料の或る一箇所だけでなく二次元的な測定を行いたいという要求は強い。従来、二次元測定を行う透過Ｘ線分析装置では、透過Ｘ線を検出するためにＸ線写真フィルム、半導体二次元検出器、イメージングプレートなどが利用されているが、こうした検出器では検出される透過Ｘ線のエネルギーを弁別することはできないため、被測定物中の物質の密度の大小が信号強度の濃淡として二次元的に表現されるだけである。そのため、こうした装置では、被測定物中の元素の厚みや含有量などを測定することはできない。
【０００５】
医療用の透過Ｘ線測定の一部では、被測定物にＸ線を照射するＸ線管の管電圧を高低の二段階に変えて二回の測定を実行し、その二回の測定により得られた撮影画像をデータ処理することによりに人体の骨塩（骨の中のミネラル成分）を定量することが行われている。しかしながら、これは複数の元素の混合物の含有量を求めるものであり、元素毎に分離した含有量の測定は行えない。
【０００６】
一方、透過Ｘ線顕微鏡では、従来、二つの方法で以て透過Ｘ線による二次元画像が取得されている。その一つは、点状光源からのＸ線を被測定物に照射してその透過Ｘ線を二次元検出器で検出する方法である。通常、入射Ｘ線として、シンクロトロン放射光（ＳＲ光）からフレネルゾーンプレートなどを用いて単色化及び集光を行ったものを用いる。この場合、被測定物に含まれる元素の吸収端に近いエネルギーを持つＸ線を選択することにより、その元素による透過画像の濃淡を強調することが行われる。しかしながら、この方法でも、被測定物に含まれる各元素の厚さや含有量は得られない。
【０００７】
他の一つの方法は、細い平行光に近いＸ線束を被測定物に照射して透過したＸ線を検出し、被測定物を入射Ｘ線に垂直な面内で逐次走査して二次元状の透過Ｘ線像を取得する方法である。通常、エネルギー弁別のできない検出器を用いるため、被測定物が単一の元素のみで構成されている場合を除き、各元素の厚さや含有量などの情報を得ることはできない。一部では、ＳＲ光によるＸ線を入射Ｘ線とし、透過Ｘ線の検出に波長分散型検出器によるエネルギー弁別を行い、被測定物に含まれる元素の吸収端近傍のＸ線強度分布を正確に測定することにより、その元素の化学的結合状態の解析（ＸＡＦＳ）が行われている。しかしながら、この場合、被測定物に含まれる各元素の厚さや含有量の二次元分布を求めるためには、被測定物を入射Ｘ線に垂直な面内で走査する必要があり、測定に長い時間を要するとともに、その測定の間の入射Ｘ線の安定度が十分でないと測定精度が低下するという問題がある。
【０００８】
【特許文献１】特開平１１−２８７６４３号公報
【発明の開示】
【発明が解決しようとする課題】
【０００９】
本発明は上記課題を解決するために成されたものであり、その第１の目的は、被測定物が種類が既知である複数の元素及び／又は化合物から構成される場合に、各元素及び／又は各化合物の厚さや含有量及び密度を短時間で且つ正確に測定することができる透過Ｘ線測定方法を提供することである。
【００１０】
また、本発明の第２の目的は、被測定物が種類が既知である複数の元素及び／又は化合物から構成される場合に、各元素の厚さや含有量及び密度の二次元分布を短時間で且つ正確に測定することができる透過Ｘ線測定方法を提供することである。
【課題を解決するための手段】
【００１１】
上記課題を解決するために成された本発明に係る透過Ｘ線測定方法は、単一波長ではなく、所定の波長範囲の、波長が連続したＸ線を被測定物に照射するＸ線照射手段と、前記被測定物を透過した透過Ｘ線を検出するためのエネルギー弁別可能なＸ線検出器と、該Ｘ線検出器による検出信号に基づき透過Ｘ線のエネルギーを弁別してＸ線強度データを求める信号処理回路と、を具備する透過Ｘ線測定装置を用い、含有元素及び／又は含有化合物の種類が既知である若しくは推定可能である被測定物の各元素及び／又は各化合物の、厚さ、又は含有量と密度、を測定する透過Ｘ線測定方法であって、
所定のエネルギーにおける、実測の透過Ｘ線強度比と、被測定物に含まれる全ての元素及び／又は化合物の質量吸収係数と、厚さ、又は重量比と密度で表した理論的透過Ｘ線強度比とから成る方程式を、被測定物に含まれる、厚さ又は含有率が未知な元素及び／又は化合物の総数と同数以上立てて連立方程式とし、
前記所定のエネルギーにおけるＸ線強度比を前記透過Ｘ線測定装置により実測し、
該実測により得られた値を前記連立方程式に代入して該連立方程式を解き、解として各元素及び／又は各化合物の、厚さ、又は重量比と全体の密度、を求めることを特徴としている。
【００１２】
この発明に係る透過Ｘ線測定方法の一態様として、前記Ｘ線照射手段と前記Ｘ線検出器との組み合わせで測定可能なエネルギー範囲において被測定物に含まれる全ての元素及び／又は全ての化合物中の元素が吸収端を持つ場合、各元素の吸収端を挟んだ両側のエネルギーにおける透過Ｘ線の実測値の比を前記Ｘ線強度比とした連立方程式を用い、被測定物を透過して来た透過Ｘ線を前記Ｘ線検出器で検出し、それにより得られるＸ線強度データから前記実測強度比を算出してこれを前記各方程式に適用して、その連立方程式を解くことにより各元素及び／又は各化合物の厚さ、又は重量比と全体の密度、を求めるものとすることができる。
【００１３】
吸収端は元素に固有のものであるため、或る元素が吸収端を持つ場合、その吸収端よりも僅かに高いエネルギー側と僅かに低いエネルギー側とにおいて透過Ｘ線の強度は大きく相違するのに対し、同じエネルギーに対し被測定物を透過しない直接Ｘ線の強度はほぼ同じであるとみなせ、これを利用して算出精度が相対的に高い連立方程式を立てることができる。これによれば、透過Ｘ線の測定のみを実施すればよいため被測定物を透過しない直接Ｘ線の測定が不要であって、そのための測定時間や検出器が不要になる。
【００１４】
この発明に係る透過Ｘ線測定方法の別の態様として、被測定物に含まれる、厚さ又は含有率が未知な元素及び／又は化合物の総数と同数以上の所定のエネルギーにおいて被測定物を透過した透過Ｘ線の強度と同エネルギーにおいて被測定物を透過しない直接Ｘ線の強度との比を前記Ｘ線強度比とした連立方程式を用い、被測定物を透過して来た透過Ｘ線と透過しない直接Ｘ線をそれぞれ別に前記Ｘ線検出器で検出し、それにより得られるＸ線強度データから前記実測強度比を算出してこれを前記各方程式に適用して、その連立方程式を解くことにより各元素及び／又は各化合物の厚さ、又は重量比と全体の密度、を求めるものとすることができる。
【００１５】
この場合には、複数のエネルギー（波長）において直接Ｘ線の強度と透過Ｘ線の強度とを測定する必要があり、各波長における直接Ｘ線と透過Ｘ線との強度比の相違を利用して、各元素及び／又は各化合物の含有量と密度、又は厚さ、を計算している。そのため、直接Ｘ線測定のための測定時間や検出器が別途必要になるものの、吸収端を利用しないので定量可能な元素に殆ど制約がなくなる。
【００１６】
但し、吸収端を利用した場合のほうが算出精度が高いため、被測定物中に両元素、つまりＸ線照射手段とＸ線検出器との組み合わせで測定可能なエネルギー範囲において吸収端を持つ元素と吸収端を持たない元素とが混在している場合には、その元素毎に適用し得る方程式を選んで、そうした方程式を併せた連立方程式を立てるとよい。
【００１７】
即ち、前記Ｘ線照射手段と前記Ｘ線検出器との組み合わせで測定可能なエネルギー範囲において吸収端を持つ元素については、吸収端を挟んだ両側のエネルギーにおける透過Ｘ線の実測値の比を前記Ｘ線強度比とした方程式を用いる一方、該エネルギー範囲において吸収端を持たない元素については、所定のエネルギーにおいて被測定物を透過した透過Ｘ線の強度と同エネルギーにおいて被測定物を透過しない直接Ｘ線の強度との比を前記Ｘ線強度比とした方程式を用い、それらを併せた、被測定物に含まれる、厚さ又は含有率が未知な元素及び／又は化合物の総数と同数以上の連立方程式を立ててこの解を求めることにより各元素及び／又は各化合物の厚さ、又は重量比と全体の密度、を求めるとよい。
【００１８】
また、本発明に係る透過Ｘ線測定方法は二次元測定に容易に拡張することができる。即ち、前記Ｘ線照射手段は所定の波長範囲の発散Ｘ線又は平行束Ｘ線を被測定物に照射するものであり、前記Ｘ線検出器は前記被測定物を透過した透過Ｘ線を検出するためのエネルギー弁別可能な微小Ｘ線検出素子が二次元状に配置されたものであり、前記信号処理回路は、該Ｘ線検出器による検出信号に基づき各微小検出素子毎に透過Ｘ線のエネルギーを弁別してＸ線強度データを求めるものであって、被測定物の各元素及び／又は各化合物の厚さ、又は含有量と密度、の二次元分布情報を測定するものとすることができる。
【００１９】
ここで、発散Ｘ線とは点状又はそれに相当する形状のＸ線照射手段から所定の立体角を以てＸ線が拡がるように放出される場合をいい、平行束Ｘ線とは面状又はそれに相当する形状のＸ線照射手段からＸ線が略平行に放出されて殆ど拡がることがない場合をいう。
【発明の効果】
【００２０】
本発明に係る透過Ｘ線測定方法によれば、被測定物に含まれる複数の元素及び／又は化合物の種類が既知であるか或いは高い確度で推定可能であれば、各元素及び／又は各化合物の含有量及び密度、又は厚さ、を高い精度で以て且つ同時に得ることができる。したがって、被測定物の含有元素や含有化合物の定量分析が効率良く正確に行えるようになり、非破壊検査や医療用など広範な分野に有用である。
【００２１】
また、特に本発明に係る二次元の透過Ｘ線測定方法によれば、被測定物に照射するＸ線を二次元的に走査して順次透過Ｘ線を検出する必要もないので、この点でも測定時間は短くて済み、そうした短時間の測定でも、被測定物を構成する元素及び／又は化合物の含有量及び密度、又は厚さ、の二次元分布情報を高い精度で以て得ることができる。
【発明を実施するための最良の形態】
【００２２】
本発明に係る透過Ｘ線測定方法の一実施例について図面を参照して説明する。図１は本実施例による透過Ｘ線測定を行うための透過Ｘ線測定装置の全体構成図である。
【００２３】
図１において、Ｘ線管等のＸ線源１から出射されたＸ線２は被測定物３に照射され、被測定物３中を透過した透過Ｘ線がＸ線検出器４に入射する。Ｘ線源１は単一波長ではなく所定の波長範囲（換言すると所定のエネルギー範囲）のＸ線、つまり複数波長のＸ線を出射可能なものであり、Ｘ線検出器４はこの波長範囲に対応した検出が可能なものである。
【００２４】
Ｘ線検出器４では入射したＸ線の波長つまりエネルギーに応じた電気信号が発生し、この検出信号は検出信号処理部５に入力され、まずプリアンプ（前置増幅器）５１により増幅される。このときの信号は図１中に示すように階段状の電圧パルス信号となる。この信号の階段の各段の高さが被測定物３に含まれる各元素のエネルギーに対応している。この電圧パルス信号は波形整形回路を含む比例増幅器５２に入力され、上記各階段の高さに応じた波高を持つ適当な形状のパルスに成形される。
【００２５】
マルチチャンネルアナライザ５３は入力されたパルス信号の波高値に応じて各パルスをエネルギー毎に弁別した後に、弁別された各パルスをそれぞれ計数する。このマルチチャンネルアナライザ５３の弁別対象のエネルギーは制御部８により設定され、任意のエネルギーの透過Ｘ線のＸ線強度に対応した値をデータ処理部６に出力する。そして、データ処理部６はこのＸ線強度値の実測データに対し後述するような演算処理を実行することで、被測定物３に含まれる各元素及び／又は各化合物の厚さや含有量及び密度を算出し、その結果を表示部７に表示する。
【００２６】
次に、上記構成の透過Ｘ線測定装置を用いて、被測定物３に含まれる各種元素及び／又は各種元素の含有量及び密度や厚さを得るための方法について述べる。ここでは、被測定物３が種類が既知である複数の元素、具体的には５種の元素ａ、ｂ、ｃ、ｄ、ｅを含んでいるものとする。周知のように、一般に各種の元素はＸ線に対してそれぞれ固有の吸収端を持つ。上述のようにＸ線源１は所定波長範囲のＸ線を出射可能であるが、その波長範囲は限られているため、いま測定対象としている５種の元素ａ〜ｅの吸収端波長が照射Ｘ線の波長範囲に含まれる場合とそうでない場合とがあり得る。そこで、この両者を分けて考え、前者を第１の測定モード、後者を第２の測定モードと呼ぶ。
【００２７】
［１］第１の測定モード：元素ａ、ｂ、…、ｅの吸収端波長が照射Ｘ線の波長範囲及びＸ線検出器の検出可能波長範囲に含まれる場合
【００２８】
図２は１種の元素ａについての透過Ｘ線のスペクトルの一例を示す図である。この図のように、吸収端波長λａに対応したエネルギーＥａの前後で透過Ｘ線強度は急激に変化する。一方、吸収端波長は元素に固有のものであるため、元素ａ以外の他の元素ｂ、ｃ、ｄ、ｅは同一エネルギーＥａにおいて吸収端を持たない。したがって、元素ａの吸収端波長λａの前後、つまり吸収端波長λａよりも少しだけ長波長側の波長λa+及び吸収端波長よりも少しだけ短波長側の波長λa-における元素ｂ、ｃ、ｄ、ｅの透過Ｘ線強度の変化は小さい。また、直接Ｘ線の強度も殆ど変化しない。
【００２９】
従来より、こうした吸収端前後の透過Ｘ線強度の急激な変化を利用してその元素の定量を行う方法が提案されている（例えばカリティ著 、「Ｘ線回折要論」、アグネ承風社発行、  p427-p431参照）。この提案の方法では、実測により求めた透過Ｘ線のスペクトルにおいて吸収端波長よりも長波長側のカーブと短波長側のカーブとをそれぞれ外挿することにより、長波長側と短波長側との吸収端波長上での仮想的なＸ線強度をそれぞれ算出する。そして、この実測に基づいた長波長側の仮想的なＸ線強度と短波長側の仮想的なＸ線強度との強度比、及び、試料の質量吸収係数を考慮した理論的な値から試料中での元素ａの重量比や厚さを推算するようにしている。特許文献１による透過Ｘ線測定方法は、基本的にはこの方法を踏襲したものである。
【００３０】
しかしながら、上記のような方法では、透過Ｘ線の検出信号をエネルギー毎に分離する際のエネルギー分解能が十分に高くないと吸収端波長前後での透過Ｘ線スペクトルカーブに対し十分な精度の外挿を行うことができず、元素の重量比や厚さの計算に大きな狂いが生じる可能性がある。また、上述したように被測定物に多数の元素が含まれる場合に一度に全ての元素の厚さや含有量及び密度を算出することはできず、しかも正確性に問題がある。
【００３１】
そこで、本実施例による透過Ｘ線測定方法では、透過Ｘ線スペクトルのカーブの外挿を行って急激な強度変化前後の透過Ｘ線強度の吸収端波長上での換算値を用いる代わりに、実際に求めた透過Ｘ線強度値をそのまま利用する一方、上記換算により無視していた他の元素の影響も考慮した計算式を用い、各元素について同様の計算式を立ててこれらを連立方程式として解いて複数の元素の含有量や厚さを並行して算出できるようにしている。
【００３２】
即ち、被測定物に含まれる各元素ａ、ｂ、…、ｅのそれぞれについて、吸収端波長のエネルギーよりも少し高いエネルギーにおける透過Ｘ線強度と少し低いエネルギーにおける透過Ｘ線強度とを実測により求める。例えば元素ａに関して言えば、図２に示すように、吸収端波長のエネルギーＥａよりも少し高いエネルギーＥahの透過Ｘ線強度ＩEahと少し低いエネルギーＥalの透過Ｘ線強度ＩEalとを求める。その元素の吸収端波長の前後の波長（エネルギー）におけるＸ線強度の比ＩEah／ＩEalと、その元素の線吸収係数ではなく質量吸収係数を用いて計算できる理論上の透過Ｘ線の強度比、さらには共存する他の元素の上記吸収端波長前後における質量吸収係数を用いて計算できる理論上の透過Ｘ線の強度比と、から次のような連立方程式を立てることができる。なお、ここでは吸収端波長の前後の波長に対する直接Ｘ線のＸ線強度は殆ど変化せず等しいものとみなしている。
【００３３】
［Ａ］各元素の厚さを求めたい場合
各元素ａ、ｂ、…、ｅの厚さを求めたい場合には次のような連立方程式を用いる。
ln(ＩEah/ＩEal)＝｛(μ/ρ)aEal−(μ/ρ)aEah｝・ρaｔa＋｛(μ/ρ)bEal−(μ/ρ)bEah｝・ρbｔb＋…＋｛(μ/ρ)eEal−(μ/ρ)eEah｝・ρeｔe      …(1)
ln(ＩEbh/ＩEbl)＝｛(μ/ρ)aEbl−(μ/ρ)aEbh｝・ρaｔa＋｛(μ/ρ)bEbl−(μ/ρ)bEbh｝・ρbｔb＋…＋｛(μ/ρ)eEbl−(μ/ρ)eEbh｝・ρeｔe      …(2)
………
ln(ＩEeh/ＩEel)＝｛(μ/ρ)aEel−(μ/ρ)aEeh｝・ρaｔa＋｛(μ/ρ)bEel−(μ/ρ)bEeh｝・ρbｔb＋…＋｛(μ/ρ)eEel−(μ/ρ)eEeh｝・ρeｔe      …(3)
ここで、
ＩEah：元素ａの吸収端波長のエネルギーよりも少し高いエネルギーの透過Ｘ線強度
ＩEbh：元素ｂの吸収端波長のエネルギーよりも少し高いエネルギーの透過Ｘ線強度
ＩEeh：元素ｅの吸収端波長のエネルギーよりも少し高いエネルギーの透過Ｘ線強度
ＩEal：元素ａの吸収端波長のエネルギーよりも少し低いエネルギーの透過Ｘ線強度
ＩEbl：元素ｂの吸収端波長のエネルギーよりも少し低いエネルギーの透過Ｘ線強度
ＩEel：元素ｅの吸収端波長のエネルギーよりも少し低いエネルギーの透過Ｘ線強度
(μ/ρ)aEal：エネルギーＥalにおける元素ａの質量吸収係数
(μ/ρ)aEah：エネルギーＥahにおける元素ａの質量吸収係数
(μ/ρ)bEal：エネルギーＥalにおける元素ｂの質量吸収係数
(μ/ρ)bEah：エネルギーＥahにおける元素ｂの質量吸収係数
(μ/ρ)eEal：エネルギーＥalにおける元素ｅの質量吸収係数
(μ/ρ)eEah：エネルギーＥahにおける元素ｅの質量吸収係数
(μ/ρ)aEbl：エネルギーＥblにおける元素ａの質量吸収係数
(μ/ρ)aEbh：エネルギーＥbhにおける元素ａの質量吸収係数
(μ/ρ)bEbl：エネルギーＥblにおける元素ｂの質量吸収係数
(μ/ρ)bEbh：エネルギーＥbhにおける元素ｂの質量吸収係数
(μ/ρ)eEbl：エネルギーＥblにおける元素ｅの質量吸収係数
(μ/ρ)eEbh：エネルギーＥbhにおける元素ｅの質量吸収係数
ρa：元素ａの密度
ρb：元素ｂの密度
ρe：元素ｅの密度
ｔa：元素ａの厚さ
ｔb：元素ｂの厚さ
ｔe：元素ｅの厚さ
【００３４】
［Ｂ］元素の重量比を求めたい場合
各元素ａ、ｂ、…、ｅの含有量や全体の密度を算出するために重量比を求めたい場合には次のような連立方程式を用いる。
ln(ＩEah/ＩEal)＝[{(μ/ρ)aEal−(μ/ρ)aEah}・ｗa＋{(μ/ρ)bEal−(μ/ρ)bEah}・ｗb＋…＋{(μ/ρ)eEal−(μ/ρ)eEah}・ｗe]・ρmｔm      …(4)
ln(ＩEbh/ＩEbl)＝[{(μ/ρ)aEbl−(μ/ρ)aEbh}・ｗa＋{(μ/ρ)bEbl−(μ/ρ)bEbh}・ｗb＋…＋{(μ/ρ)eEbl−(μ/ρ)eEbh}・ｗe]・ρmｔm      …(5)
………
ln(ＩEeh/ＩEel)＝[{(μ/ρ)aEel−(μ/ρ)aEeh}・ｗa＋{(μ/ρ)bEel−(μ/ρ)bEeh}・ｗb＋…＋{(μ/ρ)eEel−(μ/ρ)eEeh}・ｗe]・ρmｔm      …(6)
ここで、上記［Ａ］で記載した以外のパラメータについて、
ｗa：元素ａの重量比
ｗb：元素ｂの重量比
ｗe：元素ｅの重量比
ρm：混合物（又は化合物）全体の密度
ｔm：混合物（又は化合物）全体の厚さ
であり、且つ全ての含有元素の重量比の和は１、つまり
ｗa＋ｗb＋…＋ｗe＝１
である。
【００３５】
［Ｃ］元素だけでなく種類が既知である化合物が含まれている場合
いま、被測定物中に種類が既知である化合物、例えば元素ａの代わりに化合物ａが含まれている場合について考える。ここでいう種類が既知であるとは、その化合物ａの構成元素の全ての含有量比及び密度が既知であるということである。この場合、化合物ａとその他の含有元素ｂ、ｃ、ｄ、ｅの厚さ、又は含有量と全体の密度、を同時に定量するためには、例えば化合物ａの構成元素がａ1、ａ2、ａ3であり、それら構成元素の重量ｗa1、ｗa2、ｗa3が既知の場合、前述の各式(1)〜(6)において、(μ/ρ)aの代わりに、
(μ/ρ)a＝(μ/ρ)ｗa1＋(μ/ρ)ｗa2＋(μ/ρ)ｗa3
を代入し、その化合物ａの密度ρa、厚さｔa、重量比ｗaは元素ａをそのまま化合物ａと読み代える式を立てればよい。但し、
(μ/ρ)a：化合物ａの質量吸収係数
(μ/ρ)ｗa1：構成元素ａ1の質量吸収係数
(μ/ρ)ｗa2：構成元素ａ2の質量吸収係数
(μ/ρ)ｗa3：構成元素ａ3の質量吸収係数
ｗa1＋ｗa2＋ｗa3＝１
である。また、前述の元素ａの吸収端を利用した式の代わりに、この化合物ａに対応する方程式として、化合物ａに含まれる全ての元素がａ1、ａ2、ａ3の吸収端に対応する方程式を立てる必要はなく、そのうちのいずれか１つの元素、例えば元素ａ1についてのみ吸収端の両側のエネルギーを利用した方程式を立てれば十分である。したがって、Ｘ線源１とＸ線検出器４との組み合わせで測定可能なエネルギー範囲において、吸収端を持つ元素を１つだけ選べばよい。この場合、例えば(1)式は、
ln(ＩEah/ＩEal)＝[{(μ/ρ)a1Ea1l・ｗa1＋(μ/ρ)a2Ea1l・ｗa2＋(μ/ρ)a3Ea1l・ｗa3}−{(μ/ρ)a1Ea1h・ｗa1＋(μ/ρ)a2Ea1h・ｗa2＋(μ/ρ)a3Ea1h・ｗa3}]・ρaｔa＋[(μ/ρ)bEal−(μ/ρ)bEah]・ρbｔb＋…＋[(μ/ρ)eEal−(μ/ρ)eEah]・ρeｔe
と変形する。また(2)式、(3)式も同様に変形する。一方(4)式は、
ln(ＩEah/ＩEal)＝〈[{(μ/ρ)a1Ea1l・ｗa1＋(μ/ρ)a2Ea1l・ｗa2＋(μ/ρ)a3Ea1l・ｗa3}−{(μ/ρ)a1Ea1h・ｗa1＋(μ/ρ)a2Ea1h・ｗa2＋(μ/ρ)a3Ea1h・ｗa3}]・ｗa＋{(μ/ρ)bEal−(μ/ρ)bEah}・ｗb＋…＋{(μ/ρ)eEal−(μ/ρ)eEah}・ｗe〉・ρmｔm
と変形する。また(5)式、(6)式も同様に変形する。
【００３６】
上記連立方程式におけるパラメータの中で、元素ａ、ｂ、…、ｅ（又は構成元素ａ1、ａ2、ａ3）について各エネルギーにおける質量吸収係数は既知であり、例えば予めデータベース化して又はテーブル化してメモリ装置に格納しておくことができる。また、元素ａ、ｂ、…、ｅ（又はいずれかの構成元素ａ1、ａ2、ａ3）の吸収端波長前後の実測による透過Ｘ線強度比ＩEah/ＩEal、ＩEbh/ＩEbl、…、ＩEeh/ＩEel等は上述したように実際の測定により得ることができるから既知であるとみなせる。また、元素の重量比を求めたい場合に用いる連立方程式での混合物（又は化合物）全体の厚さｔmは、予め別途実測を行うなどにより既知とすることができる。したがって、それら既知の値以外の、各元素及び／又は化合物の厚さ（ｔa、ｔb、…、ｔe）や重量比（ｗa、ｗb、…、ｗe）及び全体の密度（ρm)などの未知の値は、こうした既知の値を上記連立方程式に代入してこれを解くことにより求めることができる。
【００３７】
上記透過Ｘ線測定装置における第１の測定モードでは、上述したように被測定物３に対してＸ線２を照射してそれに対する透過Ｘ線をＸ線検出器４で検出し、その検出信号により求まる、所定のエネルギーにおけるＸ線強度を元にデータ処理部６において上記のような連立方程式を解く演算を実行することにより、被測定物３に含まれる各種元素及び／又は化合物の含有量（重量比）及び密度、又は厚さを導出することができる。そして、その算出結果を表示部７に表示することにより測定者に提供する。
【００３８】
［２］第２の測定モード：元素ａ、ｂ、…、ｅの吸収端波長が照射Ｘ線の波長範囲又はＸ線検出器の検出可能波長範囲に含まれない場合
【００３９】
この場合には、上述したように吸収端波長前後の透過Ｘ線強度の極端な差を利用することができない。そこで、透過Ｘ線の実測強度のみでは定量解析を行うことができず、直接Ｘ線の実測強度も利用する。即ち、図１において、透過Ｘ線測定の前又は後に同じＸ線検出器４で直接Ｘ線が検出できるように被測定物３を移動した状態で直接Ｘ線を測定するか、或いは、Ｘ線源１からのＸ線が被測定物３を透過せずに直接入射する位置に別のエネルギー弁別可能なＸ線検出器４’を設置しておき、透過Ｘ線をＸ線検出器４で測定するのと並行して直接Ｘ線をＸ線検出器４’で測定する。
【００４０】
図３は透過Ｘ線と直接Ｘ線のスペクトルの一例を示す図である。この図のように、被測定物３を透過する際にＸ線は全般的に吸収を受けるため、透過Ｘ線強度は直接Ｘ線強度よりも低くなる。被測定物３に含まれる元素の種類が複数である場合、つまり被測定物３が複数の元素の混合物や化合物である場合には、Ｘ線の吸収はそれら複数の元素によるそれぞれの吸収が合算されたものとなる。そこで、相異なるエネルギー（図３ではＥ1、Ｅ2）においてそれぞれ直接Ｘ線の強度（図３ではＩ0E1、Ｉ0E2）と透過Ｘ線の強度（図３ではＩE1、ＩE2）とを実測すれば、各エネルギーにおける透過Ｘ線強度と直接Ｘ線強度の比（例えばＩ0E1/ＩE1）、及び、各元素の質量吸収係数を用いて計算できる理論上の透過Ｘ線強度と直接Ｘ線強度との比、から次のような連立方程式を立てることができる。Ｘ線強度を求めるべきエネルギー値の数は被測定物に含まれる元素の種類と同数以上とする。また、精度を上げるためには複数のエネルギー値はあまり近接していないほうがよい。
【００４１】
［Ａ］元素の厚さを求めたい場合
各元素ａ、ｂ、…、ｅの厚さを求めたい場合には次のような連立方程式を用いる。
ln(Ｉ0E1/ＩE1)＝(μ/ρ)aEl・ρaｔa＋(μ/ρ)bE1・ρbｔb＋…＋(μ/ρ)eE1・ρeｔe      …(7)
ln(Ｉ0E2/ＩE2)＝(μ/ρ)aE2・ρaｔa＋(μ/ρ)bE2・ρbｔb＋…＋(μ/ρ)eE2・ρeｔe      …(8)
………
ln(Ｉ0En/ＩEn)＝(μ/ρ)aEn・ρaｔa＋(μ/ρ)bEn・ρbｔb＋…＋(μ/ρ)eEn・ρeｔe      …(9)
ここで、
Ｉ0E1：エネルギーＥ1における直接Ｘ線強度
Ｉ0E2：エネルギーＥ2における直接Ｘ線強度
Ｉ0En：エネルギーＥn（ｎは被測定物に含まれる元素の種類と同数以上の値）における直接Ｘ線強度
ＩE1：エネルギーＥ1における透過Ｘ線強度
ＩE2：エネルギーＥ2における透過Ｘ線強度
ＩEn：エネルギーＥnにおける透過Ｘ線強度
(μ/ρ)aEl：元素ａのエネルギーＥ1における質量吸収係数
(μ/ρ)bE1：元素ｂのエネルギーＥ1における質量吸収係数
(μ/ρ)eE1：元素ｅのエネルギーＥ1における質量吸収係数
(μ/ρ)aE2：元素ａのエネルギーＥ2における質量吸収係数
(μ/ρ)bE2：元素ｂのエネルギーＥ2における質量吸収係数
(μ/ρ)eE2：元素ｅのエネルギーＥ2における質量吸収係数
【００４２】
［Ｂ］元素の重量比を求めたい場合
ln(Ｉ0E1/ＩEl)＝｛(μ/ρ)aE1・ｗa＋(μ/ρ)bE1・ｗb＋…＋(μ/ρ)eE1・ｗe］・ρmｔm      …(10)
ln(Ｉ0E2/ＩE2)＝｛(μ/ρ)aE2・ｗa＋(μ/ρ)bE2・ｗb＋…＋(μ/ρ)eE2・ｗe］・ρmｔm      …(11)
………
ln(Ｉ0En/ＩEn)＝｛(μ/ρ)aEn・ｗa＋(μ/ρ)bEn・ｗb＋…＋(μ/ρ)eEn・ｗe］・ρmｔm      …(12)
であり、且つ全ての含有元素の重量比の和は１、つまり
ｗa＋ｗb＋…＋ｗe＝１
である。
【００４３】
［Ｃ］元素だけでなく種類が既知である化合物が含まれている場合
いま、被測定物中に種類が既知である化合物、例えば元素ａの代わりに化合物ａが含まれている場合を考える。ここでいう種類が既知であるとは、その化合物ａの構成元素の全ての含有量比及び密度が既知であるということである。この場合、化合物ａとその他の含有元素ｂ、ｃ、ｄ、ｅの厚さ、又は含有量と全体の密度、を同時に定量するためには、例えば化合物ａの構成元素がａ1、ａ2、ａ3であり、それら構成元素の重量ｗa1、ｗa2、ｗa3が既知の場合、前述の各式(7)〜(12)において、(μ/ρ)aの代わりに、
(μ/ρ)a＝(μ/ρ)ｗa1＋(μ/ρ)ｗa2＋(μ/ρ)ｗa3
を代入し、その化合物ａの密度ρa、厚さｔa、重量比ｗaは元素ａをそのまま化合物ａと読み代える式を立てる。但し、(μ/ρ)a、(μ/ρ)ｗa1、(μ/ρ)ｗa2、(μ/ρ)ｗa3は前述の定義であり、
ｗa1＋ｗa2＋ｗa3＝１
である。また、前述の元素ａの代わりにこの化合物ａに対応する方程式の変形を行えばよく、化合物ａに含まれる全ての元素ａ1、ａ2、ａ3の種類に対応した数、即ち、３つの方程式を立てる必要はなく、エネルギーと方程式の数は変わらない。この場合、例えば(7)式は、
ln(Ｉ0E1/ＩE1)＝{(μ/ρ)a1E1・ｗa1＋(μ/ρ)a2E1・ｗa2＋(μ/ρ)a3E1・ｗa3}・ρaｔa＋(μ/ρ)bE1・ρbｔb＋…＋(μ/ρ)eE1・ρeｔe
と変形する。また(8)式、(9)式も同様に変形する。一方、(10)式は、
ln(Ｉ0E1/ＩEl)＝[{(μ/ρ)a1E1・ｗa1＋(μ/ρ)a2E1・ｗa2＋(μ/ρ)a3E1・ｗa3}・ｗa＋(μ/ρ)bE1・ｗb＋…＋(μ/ρ)eE1・ｗe］・ρmｔm
と変形する。また(11)式、(12)式も同様に変形する。
【００４４】
前述したように上記連立方程式におけるパラメータの中で、各種の元素（又は構成元素）の各エネルギーでの質量吸収係数などは既知であり、例えば予めデータベース化して又はテーブル化してメモリ装置に格納しておくことができる。また、各エネルギーにおける直接Ｘ線強度及び透過Ｘ線強度は上述したように実際の測定により得ることができるから既知であるとみなせる。また、元素の重量比を求めたい場合に用いる連立方程式での混合物（又は化合物）全体の厚さｔmは、予め別途実測を行うなどにより既知とすることができる。したがって、各元素及び／又は各化合物の厚さや重量比、密度などの未知の値は、こうした既知の値を上記連立方程式に代入してこれを解くことにより求めることができる。
【００４５】
上記透過Ｘ線測定装置における第２の測定モードでは、上述したように被測定物３に対してＸ線２を照射してそれに対する透過Ｘ線をＸ線検出器４で検出するとともに被測定物３を透過しない直接Ｘ線をＸ線検出器４又はＸ線検出器４’で一斉に検出し、検出信号により求まる、所定のエネルギーにおけるＸ線強度を元にデータ処理部６において上記のような連立方程式を解く演算を実行することにより、被測定物３に含まれる各種元素及び／又は各種化合物の含有量及び密度や厚さを導出することができる。そして、Ｘ線検出器４で得られた検出信号に対応してそれぞれ上記のような定量解析を実行することで、被測定物に含まれる各元素及び／又は各化合物の含有量及び密度や厚さを求め、表示部７に表示することにより測定者に提供する。
【００４６】
上述したように本実施例の透過Ｘ線測定装置では、第１又は第２のいずれかの測定モードを用いて被測定物３に含まれる各種元素の含有量及び密度や厚さを求めることができる。元素の吸収端波長が照射Ｘ線の波長範囲に含まれない場合や元素の吸収端波長がＸ線検出器４の検出可能波長範囲に含まれない場合には第２の測定モードを選択せざるをえないが、第１の測定モードでの測定が可能な場合でも第２の測定モードで測定することはできる。したがって、いずれの測定モードを選択するのかは測定者が決めるようにしておくとよい。但し、第２の測定モードのほうが第１の測定モードよりも適用範囲は広いものの、一般的には第１の測定モードのほうが高い精度が得られる。したがって、第１の測定モードによる測定が可能である場合には、第１の測定モードを実行したほうがよい。即ち、第１の測定モードで測定可能な波長範囲、つまり元素や化合物の種類は予め既知であるから、そうした元素や化合物の含有量及び密度や厚さの定量を行う際には自動的に第１の測定モードを選択し、それに適合しない元素や化合物の含有量及び密度や厚さの定量を行う際には自動的に第２の測定モードを選択するようにするとよい。
【００４７】
また、被測定物３に含まれる複数の元素の中で、使用可能なＸ線の波長範囲に吸収端を持つ元素と持たない元素とが混在する場合には、吸収端を持つ元素についてはより精度の高い第１の測定モードでの方程式を立て、吸収端を持たない元素については第２の測定モードでの方程式を立て、これらを併せて、被測定物に含まれる、厚さ又は含有率が未知な元素及び／又は化合物の総数と同数以上の方程式から成る連立方程式として、これを解くことで未知の値である各元素及び／又は各化合物の厚さ、又は含有量及び密度を求めることができる。例えば、電子デバイスで、Ｓｉ基板上にＡｌとＣｕの薄膜が形成されている場合、大気中ではＣｕの吸収端測定は容易であるが、ＳｉとＡｌの吸収端測定は困難である。このような場合に、Ｃｕについては第１の測定モードを適用する一方、ＳｉとＡｌとについてはそれぞれ第２の測定モードを適用することで、全元素について第２の測定モードを適用する場合に比べて厚さ又は含有量及び密度の算出の精度を高めることができる。
【００４８】
なお、上述のように第１、第２の測定モードのいずれでも原則としては被測定物３に含まれる元素及び／又は化合物の種類が既知であることを前提としている。即ち、被測定物の製造原料の元素や化合物が既知である（例えばその情報が製造者等から提供されている）場合や、他の何らかの方法により定性分析は終了していて、その既知の元素及び／又は化合物について定量分析を実行したい場合に、本発明の透過Ｘ線測定方法を適用する。全ての含有元素及び／又は化合物を把握する方法は特に問わないが、蛍光Ｘ線分析や質量分析などを利用することができる。また、含有元素や化合物が確定的に分からない場合でも、含有元素や化合物を推測して上記方法を適用することもできる。この場合、含まれると推測した元素や化合物が実際には被測定物に含まれない場合には、含有量又は厚さがゼロに近い値が導出されるから実用上問題はない。一方、実際には被測定物に含まれる元素や化合物が推測元素や化合物として挙げられていない場合には、それによる誤差が生じる。したがって、被測定物に実際に含まれる元素や化合物は必ず計算対象として挙げておく必要があり、被測定物に含まれない元素や化合物を計算対象として挙げてしまっても問題がない、ということになる。
【００４９】
また、第２の測定モードでは透過Ｘ線だけでなく直接Ｘ線も測定するが、図３で明らかなように直接Ｘ線は途中で殆ど吸収を受けないため強度が大きい。そのため、同じＸ線検出器４で直接Ｘ線も測定する場合には、直接Ｘ線が入射したときにＸ線検出器４での検出信号の飽和が生じないようにＸ線源１での出射強度を決めてしまうと、透過Ｘ線を検出する際のＳ／Ｎが悪くなるおそれがある。そこで、直接Ｘ線測定時には透過Ｘ線測定時よりもＸ線源１からの出射Ｘ線の強度を例えば１／Ｎに落とすようにし、その代わりにＸ線検出器４で得られた検出信号をＮ倍することで全体としてのダイナミックレンジを確保するようにしてもよい。同様に、透過Ｘ線をＸ線検出器４で測定すると同時に別のＸ線検出器４’で直接Ｘ線を測定する場合には、Ｘ線検出器４’の前に、強度が例えば１／Ｎになるようなアパーチャ等のＸ線減衰手段を設けることで検出強度を落とすようにし、その代わりにＸ線検出器４’で得られた検出信号をＮ倍することで全体のダイナミックレンジを確保するようにしてもよい。
【００５０】
図１の実施例は、Ｘ線の通過方向に対する或る１つの領域のみにおいて、被測定物３の１次元的な各元素及び／又は化合物の含有量及び密度、又は厚さを測定するものであり、被測定物３についての二次元的な情報を得るためには、例えば被測定物３を挟むＸ線源１とＸ線検出器４とを組として被測定物３の延展方向（図１では紙面に直交する面内）で移動させ、その移動毎に同様の測定を繰り返す必要がある。これに対し、より簡便に短時間で測定を行うための透過Ｘ線測定装置を図４を参照して説明する。
【００５１】
図４は本発明の他の実施例による透過Ｘ線測定装置の概略構成図である。図１に示した装置と同じ又は相当する構成要素には同一符号を付してある。この実施例の透過Ｘ線測定装置では、Ｘ線管等の微小点焦点Ｘ線源１１から出射して拡がりつつ進む発散Ｘ線１２が被測定物１３に照射され、被測定物１３中を透過した透過Ｘ線が平面状の検出面を有する二次元Ｘ線検出器１４に入射する。二次元Ｘ線検出器１４は所定の波長範囲のＸ線を直接的に検出可能な微小Ｘ線検出素子を縦横の二次元状に多数配置したものであり、例えば直接Ｘ線検出型のＣＣＤ素子を用いたＣＣＤ検出器などを利用することができる。また、微小点焦点Ｘ線源１１は上記Ｘ線源１と同様に単一波長ではなく所定の波長範囲のＸ線、つまり複数波長のＸ線を出射可能なものである。
【００５２】
二次元Ｘ線検出器１４において、透過Ｘ線が入射した各微小Ｘ線検出素子ではそのＸ線の波長つまりエネルギーに応じた電気信号が発生する。つまり、二次元Ｘ線検出器１４の検出面上の異なる位置の微小Ｘ線検出素子で生成された検出信号は被測定物１３の異なる位置に存在する各元素の情報を含む。したがって、ここでは検出信号処理部５は二次元Ｘ線検出器１４の各微小Ｘ線検出素子毎に受光した透過Ｘ線の強度に対応した値をデータ処理部６に与える。そして、データ処理部６はこの実測値データに対しそれぞれ演算処理を実行することで、被測定物３に含まれる各元素及び／又は各化合物の厚さや含有量及び密度を微小Ｘ線検出素子の位置に対応した微小領域毎に算出し、これを二次元Ｘ線元検出器１４の検出面の全て（実際には検出信号が得られた範囲のみでよい）について求めて二次元分布情報を作成して表示部７に表示する。
【００５３】
二次元Ｘ線検出器１４の各微小Ｘ線検出素子毎に得られる検出信号を元にして得られる実測値データの処理による、被測定物１３の各元素及び／又は各化合物の厚さ又は、含有量及び密度の算出方法は既に述べた通りである。なお、この場合、第２の測定モードの直接Ｘ線の測定については、被測定物を移動して測定することやＸ線検出器を別途設ける必要はなく、二次元Ｘ線検出器の多数のＸ線検出素子の中で、Ｘ線源からのＸ線が被測定物を透過することなく直接到達する部分にあるＸ線検出素子の検出信号を利用することができる。
【００５４】
なお、図４を見れば明らかなように、被測定物１３を透過したＸ線は二次元Ｘ線検出器１４の検出面に到達するまでにさらに拡がるため、この検出面には拡大されたＸ線像が投影されることになる。したがって、定量結果を二次元分布表示する場合にはこうしたサイズの拡大を考慮する必要がある。
【００５５】
また照射Ｘ線は発散光束であるため、厳密に言えば、たとえ被測定物１３の厚さが均一であったとしても、発散Ｘ線１２の入射位置によってその透過Ｘ線にとっての厚さは変わってくる。つまり、被測定物１３の周辺部にゆくほど透過Ｘ線にとってのみかけ上の厚さは大きくなる。そこで、前述のように元素及び／又は化合物の含有量及び密度や厚さを計算する際に、こうした位置の相違によるみかけ上の厚さの相違を軽減するような補正処理を行ってもよい。
【００５６】
また、二次元分布測定を行うためにＸ線照射系の構成を図５に示すように変更してもよい。この変形例では、Ｘ線源２１は面状であって発散光束でなく平行束Ｘ線２２を出射する。したがって、二次元Ｘ線検出器１４の検出面には被測定物１３のＸ線像が実物大で投影される。この場合には、被測定物１３が均一厚さであるときに、Ｘ線の入射位置に拘わらず透過Ｘ線にとっての厚さも同一になる。即ち、上記実施例のような見かけ上の厚さの相違が生じないので、そうした厚さの相違を補正しなくても高い精度で以て各元素及び／又は各化合物の厚さや含有量を求めることができる。
【００５７】
なお、上記実施例はいずれも本発明の一例であり、本発明の趣旨の範囲で適宜変更や修正、追加を行っても本願特許請求の範囲に包含されることは明らかである。
【図面の簡単な説明】
【００５８】
【図１】本発明の一実施例である透過Ｘ線測定装置の要部の構成図。
【図２】本実施例の透過Ｘ線測定装置において元素及び／又は化合物の含有量及び密度や厚さを算出する方法を説明するためのエネルギースペクトル図。
【図３】本実施例の透過Ｘ線測定装置において元素及び／又は化合物の含有量及び密度や厚さを算出する方法を説明するためのエネルギースペクトル図。
【図４】本発明の一実施例である二次元分布測定が可能な透過Ｘ線測定装置の要部の構成図。
【図５】他の実施例による二次元分布測定が可能な透過Ｘ線測定装置のＸ線照射系の概略構成図。
【符号の説明】
【００５９】
１、１１、２１…Ｘ線源
２…Ｘ線
１２…発散Ｘ線
２２…平行束Ｘ線
３、１３…被測定物
４、４’…Ｘ線検出器
１４…二次元Ｘ線検出器
５…検出信号処理部
５１…プリアンプ
５２…比例増幅器
５３…マルチチャンネルアナライザ
６…データ処理部
７…表示部
８…制御部
【図１】
0004725350.tif 000002
【図２】
0004725350.tif 000003
【図３】
0004725350.tif 000004
【図４】
0004725350.tif 000005
【図５】
0004725350.tif 000006